(57)【要約】【課題】  キャディバッグの縦振れを抑制することのできるキャディバッグ用ハンドルを提供するにある。【解決手段】  キャディバッグに取り付けられる取付部４，５と、手によって握り締められるグリップ部６とを備えたキャディバッグ用ハンドル１であって、グリップ部６の外側面９には、手の小指丘１７（小指のつけ根から手首にかけての間）に当接してキャディバッグＢの縦振れを抑制するための凸部１５が形成されたことを特徴とするものである。【選択図】    図１
2006230561.tif 000002
【特許請求の範囲】
【請求項１】
キャディバッグに取り付けられる取付部と、手によって握り締められるグリップ部とを備えたキャディバッグ用ハンドルであって、
グリップ部の外側面には、手の小指丘（小指のつけ根から手首にかけての間）に当接してキャディバッグの縦振れを抑制するための凸部が形成されたことを特徴とするキャディバッグ用ハンドル。
【請求項２】
凸部は、手の小指丘の側部に沿って湾曲した当接面を有することを特徴とする請求項１に記載のキャディバッグ用ハンドル。
【請求項３】
グリップ部の上端から凸部にかけての外側面がなだらかなＳ字状に起伏する曲面であることを特徴とする請求項１又は請求項２に記載のキャディバッグ用ハンドル。
【請求項４】
前記凸部は、硬質の心材を軟質の素材で被って形成されたことを特徴とする請求項１乃至請求項３の何れか１項に記載のキャディバッグ用ハンドル。
【請求項５】
キャディバッグに取り付けられる取付部と、手によって握り締められるグリップ部とを備えたキャディバッグ用ハンドルであって、
グリップ部はキャディバッグの縦振れを抑制するために上端側から下端側へ向けてグリップ部の横断面積が拡大する形状であることを特徴とするキャディバッグ用ハンドル。
【請求項６】
前記グリップ部は、硬質の心材と、該心材を覆う軟質の被覆材とから構成されていることを特徴とする請求項１乃至請求項５の何れか１項に記載のキャディバッグ用ハンドル。
【請求項７】
グリップ部の横断面が多角形であることを特徴とする請求項１乃至請求項６の何れか１項に記載のキャディバッグ用ハンドル。
【請求項８】
手の親指を除く四指が当接するグリップ部の内側面は、上端側から下端側へ向けて直線状、又は、なだらかな曲線状に伸びる面で構成したことを特徴とする請求項１乃至又は請求項７の何れか１項に記載のキャディバッグ用ハンドル。
【請求項９】
手の親指を除く四指が当接するグリップ部の内側面には、四指を位置決めする凹凸が形成されていることを特徴とする請求項１乃至請求項８の何れか１項に記載のキャディバッグ用ハンドル。
【請求項１０】
グリップ部の外側面には、手の小指丘（小指のつけ根から手首にかけての間）に当接してゴルフバッグの縦振れを抑制するための凸部が形成されていることを特徴とする請求項５乃至請求項９の何れか１項に記載のキャディバッグ用ハンドル。
【請求項１１】
グリップ部を把持する把持力に応じて、前記グリップ部を変形させる変形許容部を設けたことを特徴とする請求項１乃至請求項１０の何れか１項に記載のキャディバッグ用ハンドル。
【請求項１２】
キャディバッグ内へ収容可能にしたことを特徴とする請求項１乃至請求項１１の何れか１項に記載のキャディバッグ用ハンドル。
【請求項１３】
折畳み可能に設けられたことを特徴とする請求項１乃至請求項１１の何れか１項に記載のキャディバッグ用ハンドル。
【発明の詳細な説明】
【技術分野】
【０００１】
本発明は、キャディバッグ用ハンドルに関するものである。
【背景技術】
【０００２】
図２１は、特許文献１に記載のキャディバッグ用ハンドルの斜視図を示す。該キャディバッグ用ハンドル１００は両端が取付部１０１になって、キャディバッグＢに螺子等によって取り付けられる。該キャディバッグ用ハンドル１００の中央はグリップ部１０２になって、ゴルフプレーヤやキャディによって把持されるものである。
【０００３】
【特許文献１】特開２００３−１５３７２４
【発明の開示】
【発明が解決しようとする課題】
【０００４】
ところで、従来技術のキャディバッグ用ハンドル１００においては、以下のような問題があった。即ち、キャディバッグＢ内に多数のゴルフクラブを収容した場合、キャディバッグＢはかなりの重量になるため、ゴルフプレーヤやキャディが、図２２に示すように、立てて置かれた状態のキャディバッグＢのキャディバッグ用ハンドル１００を、図２３に示すように、手Ｈで把持して吊下げた際、キャディバッグＢが反動によって大きく上下方向（矢示方向）に振れ易く、いわゆる、初動が起き易いという問題があった。このため、ゴルフプレーヤやキャディがキャディバッグＢを吊下げた際に、キャディバッグＢの縦振れのために、ゴルフプレーヤやキャディの姿勢が安定しないという問題があった。又、ゴルフプレーヤやキャディがキャディバッグＢを吊下げて歩行する際にも、キャディバッグＢが縦振れして歩行しずらいという問題があった。
【０００５】
本発明は、前述の従来技術の問題点に鑑みてなされたもので、その目的は、キャディバッグの縦振れを抑制することのできるキャディバッグ用ハンドルを提供することにある。
【課題を解決するための手段】
【０００６】
請求項１に記載の発明は、キャディバッグに取り付けられる取付部と、手によって握り締められるグリップ部とを備えたキャディバッグ用ハンドルであって、グリップ部の外側面には、手の小指丘（小指のつけ根から手首にかけての間）に当接してキャディバッグの縦振れを抑制するための凸部が形成されたことを特徴とするものである。
【０００７】
請求項２に記載の発明は、請求項１に記載のキャディバッグ用ハンドルにおいて、凸部は、手の小指丘の側部に沿って湾曲した当接面を有することを特徴とするものである。
【０００８】
請求項３に記載の発明は、請求項１又は請求項２に記載のキャディバッグ用ハンドルにおいて、グリップ部の上端側から凸部にかけての外側面がなだらかなＳ字状に起伏する曲面であることを特徴とするものである。
【０００９】
請求項４に記載の発明は、請求項１乃至請求項３の何れか１項に記載のキャディバッグ用ハンドルにおいて、凸部は、硬質の心材を軟質の素材で被って形成されたことを特徴とするものである。
【００１０】
請求項５に記載の発明は、キャディバッグに取り付けられる取付部と、手によって握り締められるグリップ部とを備えたキャディバッグ用ハンドルであって、グリップ部はキャディバッグの縦振れを抑制するために上端側から下端側へ向けてグリップ部の横断面積が拡大する形状であることを特徴とするものである。
【００１１】
請求項６に記載の発明は、請求項１乃至請求項５の何れか１項に記載のキャディバッグ用ハンドルにおいて、グリップ部は、硬質の心材と、該心材を覆う軟質の被覆材とから構成されていることを特徴とするものである。
【００１２】
請求項７に記載の発明は、請求項１乃至請求項６の何れか１項に記載のキャディバッグ用ハンドルにおいて、
グリップ部の横断面が多角形であることを特徴とするものである。
【００１３】
請求項８に記載の発明は、請求項１乃至請求項７の何れか１項に記載のキャディバッグ用ハンドルにおいて、手の親指を除く四指が当接するグリップ部の内側面は、上端側から下端側へ向けて直線状、又は、なだらかな曲線状に伸びる面で構成したことを特徴とするものである。
【００１４】
請求項９に記載の発明は、請求項１乃至請求項８の何れか１項に記載のキャディバッグ用ハンドルにおいて、手の親指を除く四指が当接するグリップ部の内側面には、四指を位置決めする凹凸が形成されていることを特徴とするものである。
【００１５】
請求項１０に記載の発明は、請求項５乃至請求項９の何れか１項に記載のキャディバッグ用ハンドルにおいて、グリップ部の外側面には、手の小指丘（小指のつけ根から手首にかけての間）に当接してゴルフバッグの縦振れを抑制するための凸部が形成されていることを特徴とするものである。
【００１６】
請求項１１に記載の発明は、請求項１乃至請求項１０の何れか１項に記載のキャディバッグ用ハンドルにおいて、グリップ部を把持する把持力に応じて、前記グリップ部を変形させる変形許容部を設けたことを特徴とするものである。
【００１７】
請求項１２に記載の発明は、請求項１乃至請求項１１の何れか１項に記載のキャディバッグ用ハンドルにおいて、グリップ部をキャディバッグ内へ収容可能にしたことを特徴とするものである。
【００１８】
請求項１３に記載の発明は、請求項１乃至請求項１１の何れか１項に記載のキャディバッグ用ハンドルにおいて、折畳み可能に設けられたことを特徴とするものである。
【発明の効果】
【００１９】
請求項１に記載の発明によれば、手の小指丘（小指のつけ根から手首に掛けての間）がキャディバッグ用ハンドルの凸部に当接することにより、グリップ部を強固に把持していなくとも、キャディバッグの縦振れを抑制する。
【００２０】
請求項２に記載の発明によれば、請求項１に記載の効果を奏する上に、手の小指丘がキャディバッグ用ハンドルの凸部の側面に安定感良く当接する。
【００２１】
請求項３に記載の発明によれば、請求項１又は請求項２に記載の発明が有する効果を奏する上に、キャディバッグ用ハンドルの外側面が安定感良く掌に当接する。
【００２２】
請求項４に記載の発明によれば、請求項１乃至請求項３の何れか１項に記載の発明が有する効果を奏する上に、キャディバッグ用ハンドルの凸部に大きな荷重が加わっても全体が変形し難く、且つ、該凸部が小指丘になじみ易く、小指丘に痛みを与えることがない。
【００２３】
請求項５に記載の発明によれば、キャディバッグ用ハンドルが上端側から下端側へ向けて拡大する形状のため、手とキャディバッグ用ハンドルとの間に隙間が生じ難い。当該隙間は、キャディバッグ用ハンドルを把持して吊下げた場合に、縦振れの原因となるものであるが、請求項５に記載の発明によれば、このような隙間が生じ難いため、キャディバッグを把持して吊下げた際に、ハンドルを強固に把持していなくても、縦振れを抑制できる。
【００２４】
請求項６に記載の発明によれば、請求項１乃至請求項５の何れか１項に記載の発明が有する効果を奏する上に、キャディバッグ用ハンドルを把持した際に、掌はクッション性が良い状態でキャディバッグ用ハンドルに当接できる。
【００２５】
請求項７に記載の発明によれば、請求項１乃至請求項６の何れか１項に記載の発明が有する効果を奏する上に、キャディバッグ用ハンドルは不用意に横方向に回転することなく、キャディバッグ用ハンドルを安定感よく把持することができる。
【００２６】
請求項８に記載の発明によれば、請求項１乃至請求項７の何れか１項に記載の発明が有する効果を奏する上に、キャディバッグ用ハンドルの内側面は、上端側から下端側へ向けて直線状、又は、なだらかな曲線状に伸びる面で形成されたため、キャディバッグ用ハンドルを把持した際に、手の親指を除く他の四指同士の間には窮屈感がない。
【００２７】
請求項９に記載の発明によれば、請求項１乃至請求項８の何れか１項に記載の発明が有する効果を奏する上に、キャディバッグ用ハンドルを把持した際に、手の親指を除く他の四指の位置決めが確固としてなされ、手によるハンドルの把持感に優れたものとなる。
【００２８】
請求項１０に記載の発明によれば、請求項５乃至請求項９の何れか１項に記載の発明が有する効果を奏する上に、手の小指丘がキャディバッグ用ハンドルの凸部に当接することにより、ハンドルを強固に把持してなくてもキャディバッグの縦振れが抑制される。
【００２９】
請求項１１に記載の発明によれば、請求項１乃至請求項１０に記載の発明が有する効果を奏する上に、グリップ部が手の握りに応じて変形するため、グリップ部を把持した際に、手とキャディバッグ用ハンドルとの間の馴染みがよい。
【００３０】
請求項１２に記載の発明によれば、キャディバッグ用ハンドルはキャディバッグ内に収容可能であるため、ハンドルを使用しない場合にハンドルが邪魔になることはなく、又、キャディバッグの不使用時には、キャディバッグを狭いスペースに収容することができる。
【００３１】
請求項１３に記載の発明によれば、キャディバッグ用ハンドルは折畳み可能であるため、ハンドルを使用しない場合にハンドルが邪魔になることはなく、又、キャディバッグの不使用時には、キャディバッグを狭いスペースに収容できる。又、キャディバッグ内のゴルフクラブの収納を阻害することもない。
【発明を実施するための最良の形態】
【００３２】
図１乃至図１１は第１実施形態を示す。図1及び図２はキャディバッグ用ハンドル１がキャディバッグＢに取付けられた状態の側面図を示す。図３は図２のＰ―Ｐ線断面図を示し、図４は図２のＱ―Ｑ線断面図を示す。図５は、キャディバッグ用ハンドル１が変形する状態を示し、図６乃至図９は作用を示す図である。
【００３３】
ここで、図６に示すように、キャディバッグＢ内にゴルフクラブＫを収容してキャディバッグＢを垂直に立てて置いた場合、クラブヘッドの位置する側が上側となるため、クラブヘッドの位置する側のキャディバッグＢの部位を上側とし、その反対側を下側とする。
【００３４】
図１，図２に示すように、キャディバッグ用ハンドル１の上端側２と下端側３には取付部４，５が設けられ、これら二つの取付部４，５の間の特に上部がグリップ部６になっている。キャディバッグ用ハンドル１は、取付部４，５によってキャディバッグＢの外側面８に螺子止め等される。又、図１に示すように、グリップ部６は、ゴルフプレーヤやキャディの手Hによって把持される部位である。
【００３５】
図２に示すように、キャディバッグ用ハンドル１は、外側面９と内側面１０と左右の横側面１１と後側面１２によって囲まれた形状である。
【００３６】
図２に示すように、キャディバッグ用ハンドル１の外側面９は、キャディバッグ用ハンドル１の上端側１３から下端側１４に亘って、なだらかなＳ字状に起伏して形成されることにより、グリップ部６を把持した際に、該グリップ部６の外側面９が掌に馴染み易くなっている。又、該グリップ部６の外側面９の下端側１４には、凸部１５が設けられている。該凸部１５には、ゴルフプレーヤやキャディがグリップ部６を把持した際に、ゴルフプレーヤやキャディの手Hの小指丘１７の側部が当接する当接面１５ａが設けられている。ここで、小指丘１７とは、手の小指のつけ根から手首にかけての部分である。図１，図２に示すように、前記当接面１５ａは、手の小指丘１７の側部が馴染み感良く密接できるように湾曲面で形成されている。前記凸部１５は、手の小指丘１７の側部が当接できるように、小指丘１７の側部の厚さの少なくとも半分以上の高さに突出することが好ましい。具体的には、前記凸部１５は、１．０cm以上であって、３．０cm以下の高さの範囲内の寸法に形成することが好ましいが、略１．５cmの高さの半球、円柱、又は円錐形に形成することが好ましい。
【００３７】
図２に示すように、前述の形状のグリップ部６は硬質の素材で形成され、且つ、グリップ部６の周囲を軟質の被覆材６ａで被覆するようにすれば、前記凸部１５は変形し難い上に、凸部１５が軟質の素材で覆われることにより、凸部１５が手の小指丘１７に馴染み易く当接できる。この場合、グリップ部６はＡＢＳ，ＰＣ，ＰＯＭ，ＰＡ，ＰＰ樹脂等によって形成される。又、被覆材６ａは熱可塑性エラストマやラバーなどの、シェアＡ４５〜Ａ９０の素材によって形成することができる。該被覆材６ａの厚さは、２ｍｍから１０ｍｍの範囲内から選択されるが、４ｍｍから５ｍｍの範囲内から選択されることが好ましい。
【００３８】
又、同図２に示すように、グリップ部６の内側面１０には、ゴルフプレーヤやキャディの手の親指を除く四指を位置決めするための凹凸１６が形成されている。
【００３９】
前記グリップ部６の内側面１０は、上端側から下端側へ向けて直線状、又は、なだらかな曲線状に伸びる面で形成されることにより、グリップ部６を手Hで把持した際に、手の親指を除く他の四指同士が隙間を開けることができるようにすることにより、当該四指同士の間に窮屈感を生じないようにしても良い。
【００４０】
図２に示すように、グリップ部６の外側面９は、キャディバッグＢの外側面８に対して略３５度乃至８０度の範囲から選択されるものであり、特に、本実施形態では約５５度に形成されている。又、グリップ部６の内側面１０は、キャディバッグＢの外側面８に対して略１５度乃至５０度範囲から選択されるものであり、特に、本実施形態では約３０度に形成されている。これにより、図２に示すように、グリップ部６を横方向から観たグリップ部６の横側面１１の形状は、キャディバッグ用ハンドル１の上端側１３から後端側１４へ進むに従って、その横断面積が徐々に拡大するように略三角形状になっている。図３はグリップ部６の上端側１３の断面図であり、図４はグリップ部６の下端側１４の断面図であって、図４に示す、グリップ部６の下端側１４の断面形状が、図３に示す、グリップ部６の上端側１３の断面形状よりも拡大していることを示す。
【００４１】
グリップ部６の先端側の周長は９cm以上の楕円であり、グリップ部６の後端側の周長は１３cm以上の楕円であることが好ましい。尚、前記グリップ部６の断面形状は、円形であっても良い。又、前記グリップ部６の表面には、部分的に凹凸があっても良い。更に、前記グリップ部６は上端側１３から下端側１４へ向けた途中において外方へ膨らむように湾曲させて、グリップ部６の全体形状としてバナナ形に湾曲させて形成してもよい。
【００４２】
又、前記グリップ部６は、先端側において６．４cm2以上の断面積の多角形で、後端側において７．２cm2以上の断面積の多角形に形成することができる。尚、このように、グリップ部６の断面形状を多角形にした場合、角部に丸みを設けることにより、手との当たりを滑らかにしてもよい。
【００４３】
グリップ部６の断面形状、例えば、図３に示すように、図２のP―P線断面形状，又は、図４に示すように、図２のQ―Q線断面形状は、該グリップ部６の内側面１０において幅方向（矢示方向）に平坦であって、外側面９において弧状で、且つ、縦方向には縦長の形状に形成することができる。グリップ部６の断面形状をこのような略卵形に形成することにより、手Hの親指を除く他の四指は内側面１０をフィット感良く把持することができ、又、掌は外側面９にフィット感良く当接できるものである。尚、グリップ部６の断面形状を多角形にすることにより、グリップ部６は不用意に横方向へ回転することなく、安定感良く把持されるものである。
【００４４】
次ぎに、図１に基づき、ゴルフプレーヤやキャディがグリップ部６を把持する際におけるゴルフプレーヤやキャディの手Ｈと、前記凸部１５との位置関係について説明する。図１は、キャディやプレーヤがグリップ部６を把持した状態を示している。同図１において、ゴルフプレーヤやキャディの手Ｈの指の内、親指がグリップ部６の外側面９に当接し、且つ、親指を除く四指がグリップ部６の内表面１０に当接している。そして、このような状態において、手の小指丘１７の側部または表面、即ち、小指のつけ根から手首にかけての部分の側部または表面が、前記凸部１５に当接する位置関係にある。つまり、グリップ部６の長さＬは掌の幅と略同じ長さであって、男性用のキャディバッグ用ハンドル１の場合、前記凸部１５は、実施例ではグリップ部６の上端側１３から略４３ｍｍ後方の上端側１３ａから略８０ｍｍ乃至１００ｍｍの範囲内で選択された位置に形成されるが、グリップ部６の上端側１３ａから略８７ｍｍの位置に形成されることが好ましい。又、女性用のキャディバッグ用ハンドル１の場合には、前記凸部１５は、実施例ではグリップ部６の上端側１３から略４３ｍｍ後方の上端側１３ａから略７０ｍｍ乃至９０ｍｍの範囲内で選択された位置に形成されるが、グリップ部６の上端側１３ａから略７９ｍｍの位置に形成されることが好ましい。
【００４５】
図１，図２，図５に示すように、前記凸部１５の後側の裾部１５ｂは、内側へ凹んだ凹部になっている。又、グリップ部６の後端側１４には、該グリップ部６の横側面１１，１１間を貫通するように窓部１８が設けられている。該窓部１８の側面形状は、グリップ部６の上端側１３から下端側１４へ向けて拡大するように三角形をなしている。前記裾部１５ｂおよび窓部１８によって、グリップ部６は弾性を付与されることができるものである。即ち、図５に示すように、グリップ部６がゴルフプレーヤやキャディによって把持されて大きな荷重とともに把持力Ｆが作用した場合、同図５中、一点鎖線で示すように、前記裾部１５ｂが内側へ凹み、且つ、窓部１８の幅が狭まるように変形することにより、同図５中、一点鎖線で示すように、グリップ部６の外側面９と内側面１０とが互いに接近するように変形する一方、該グリップ部６の素材が有する弾性によってグリップ部６が外向きに復元しようとする反撥力によって、グリップ部６の外側面９は、キャディやプレーヤ等の掌に密着するものである。
【００４６】
前記凸部１５の裾部１５ｂ、又は窓部１８によって、請求項１１に記載の変形許容部が構成される。
【００４７】
次ぎに、作用について説明する。本実施形態の効果について、従来技術と比較しながら説明する。先ず、従来技術の場合、図６に示すように、垂直に立てられた状態のキャディバッグＢをゴルフプレーヤやキャディが把持して図７に示すように、水平に吊下げた状態においては、キャディバッグＢは垂直に立てられた状態から回転して略水平の状態にまで変動するため、キャディバッグＢは当該回転に伴った反動によって、キャディバッグＢの上下方向（矢示方向）の縦振れ、いわゆる、初動が生じる結果、ゴルフプレーヤやキャディがキャディバッグＢを吊下げた際に大きな力を受けて違和感を感じたり、内部のゴルフクラブＫが飛び出しそうになり易かった。
【００４８】
しかし、本実施形態においては、図１に示すように、グリップ部６の外側面９の後端側１４には、凸部１５が形成されている。このため、ゴルフプレーヤやキャディが手の小指丘１７で該凸部１５を下方へ押え付けることにより、キャディバッグBのクラブヘッド側を上げるようにして、前記初動を効果的に易しく、且つ、自然に抑制させることができる。その結果、キャディバッグの運搬が容易となり、ゴルフプレーヤやキャディの姿勢が安定することができる。
【００４９】
又、本実施形態においては、キャディバッッグ１の内表面１０がキャディバッグの外表面に対して略１５度乃至５０度の範囲から選択されるものであり、特に、本実施例では約３０度に形成されている。このため、図８に示すように垂直に立てられたキャディバッグＢを、ゴルフプレーヤやキャディが吊下げた状態においては、図９に示すように、垂直に立てられた状態のキャディバッグＢは、略４０度乃至７５度だけ回転するため、ゴルフプレーヤやキャディがキャディバッグＢを吊下げる際に生じる初動は、従来技術のキャディバッグを吊下げる場合よりも少ない。このため、本実施形態のキャディバッグＢを把持して吊下げたゴルフプレーヤやキャディには、キャディバッグ１の倒れるような姿勢の変動による大きな荷重を受けることがなく、ゴルフプレーヤやキャディは姿勢を安定させてキャディバッグＢを把持することができる。
【００５０】
又、従来技術においては、図６に示すように、キャディバッグＢが垂直に立てられた状態において、ゴルフプレーヤやキャディがキャディバッグ用ハンドル１００を把持する場合、従来では、図６に示すように、ゴルフプレーヤやキャディは腕Ｙの肘を曲げた状態でキャディバッグ用ハンドル１００を把持しなければならない。このため、ゴルフプレーヤやキャディは腕Ｙの肘に違和感を感じたり、腰をかがめる必要があった。
【００５１】
しかし、本実施形態においては、キャディバッグ用ハンドル１のグリップ部６の内側面１０がキャディバッグＢの外側面８に対して略１５度乃至５０度の範囲から選択されるように形成されている。このため、図８に示すように、垂直に立てて置かれたキャディバッグＢを把持する際、ゴルフプレーヤやキャディは腕Ｙの肘を曲げたり、腰をかがめることなくキャディバッグ用ハンドル１を把持することができる。このため、ゴルフプレーヤやキャディは、肘に違和感を感じたり、腰に負担をかける虞が少ない。
【００５２】
更に、図１０に示すように、従来においては、ゴルフプレーヤやキャディがグリップ部１０２を把持する場合、親指と人指指によってグリップ部１０２を把持しているが、親指，及び人指指を除く他の三指と小指丘との間には隙間Ｓが生じる。この隙間Ｓが、いわゆる、グリップ部１０２の縦方向の振れに対する遊びとなるため、キャディバッグＢは一層、縦振れし易かった。このため、従来技術においては、縦振れを無くそうとする場合には、前記隙間Ｓが生じないように、手の小指丘と小指とでグリップ部１０２を強く握り締めなければならない。
【００５３】
しかし、本実施形態においては、図１に示すように、グリップ部６は上端側１３から下端側１４へ進むにつれて拡大した形状であって、手の小指丘１７がグリップ部６に当接する形状であるため、従来技術のようには、グリップ部６を強く握り締めなくても、手の５指によってグリップ部６を自然に把持することができる。このように、本実施形態においては、図１０に示す従来技術のように隙間Ｓが生じないため、当該隙間Ｓの発生に伴った、キャディバッグ用ハンドルの縦振れを抑制することができる。
【００５４】
又、従来術においては、図７に示すように、ゴルフプレーヤやキャディがキャディバッグＢを手に吊下げて持った状態から、図６に示すように、該キャディバッグＢを立てて置く場合には、ゴルフプレーヤやキャディは、腕Ｙの肘を略直角に曲げながら、手の小指丘でキャディバッグ用ハンドル１００を前方に押さなければ、キャディバッグＢを立てた状態に置くことができない。このように、従来技術においては、キャディバッグＢを手で把持したまま、腕Ｙを直角に曲げることは手首や肘に相当の負担をかけるものであった。
【００５５】
しかし、本実施形態においては、図９に示すように、ゴルフプレーヤやキャディがキャディバッグを手で把持して吊下げた状態から、図８に示すように、垂直に立てて置く場合、ゴルフプレーヤやキャディは、図１に示すように、手の小指丘１７で、キャディバッグ用ハンドル１の凸部１５を下方へ押圧することにより、図８に示すように、腕Ｙの肘を大きく曲げることなく、キャディバッグＢを図８に示すように立てた状態で置くことができる。
【００５６】
ところで、図１１に示すように、仮に、グリップ部Ｇの内側面αが曲率半径の小さな湾曲面で形成された場合には、ゴルフプレーヤやキャディがグリップ部Ｇを把持してキャディバッグを吊下げた際に、ゴルフプレーヤやキャディの親指を除く他の四指には、中指Nに向けて集まる方向の力Ｆ１が作用するため、四指には窮屈な感じが生じる。又、このように、グリップ部Ｇの内側面αを曲率半径の小さな湾曲面で形成した場合には、ゴルフプレーヤやキャディがグリップ部Ｇを把持してキャディバッグを吊下げた際に、該キャディバッグの荷重は、中指Ｎに中心に加わるため、ゴルフプレーヤやキャディがキャディバッグを長時間、把持し続けることにより、中指Ｎに痛みを覚える場合がある。
【００５７】
しかし、本実施形態においては、図１，図２に示すように、グリップ部６の内側面１０をなだらかな湾曲面、又は、平坦面で形成した場合には、ゴルフプレーヤやキャディは、親指を除く他の四指は互いに間隔を空けた状態で、グリップ部６を把持してキャディバッグＢを吊下げることができる。このため、親指を除く他の四指には、図１１に示す従来技術のように、中指Ｎに向けて集まる方向の力Ｆ１は作用しない。従って、親指を除く他の四指には、窮屈感は生じない。このため、ゴルフプレーヤやキャディは、キャディバッグＢを長時間、吊下げる場合であっても、耐え得ることができる。又、本実施形態のキャディバッグ用ハンドル１のグリップ部６の内側面１０は、平坦面、又は、なだらかな湾曲面で形成されているため、グリップ部６を把持した場合、キャディバッグＢの荷重は、親指を除く他の四指に略均等に加わることができるため、従来技術のように、中指のみに痛みを感じる虞が少ない。
【００５８】
尚、以上の実施形態においては、グリップ部６の外側面９とキャディバッグBの外側面８との成す角度が略３５度乃至８０度の範囲の内から選択されるものとして説明したが、グリップ部６の外側面９とキャディバッグBの外側面８との成す角度は、０度から任意の角度の範囲内で任意の角度に設定しても良い。又、以上の実施形態においては、グリップ部６の内側面１０とキャディバッグBの外側面８との成す角度が略１５度乃至５０度の範囲の内から選択されるものとして説明したが、グリップ部６の内側面９とキャディバッグBの外側面８との成す角度は、０度から任意の角度の範囲内で任意の角度に設定しても良い。
【００５９】
図１２は、第二実施形態を示す。この実施形態のグリップ部６は中央に硬質の心材２１を設け、該心材２１の上下両端に取付部４，５を設けた構成になっている。該心材２１はアルミニウム等の金属によって形成することができる。即ち、この実施形態のグリップ部６は中央に心材２１を設け、周囲が被覆材６ａで被覆された３層構造になっているものである。この実施形態においては、第一実施形態と比較して、グリップ部６の強度を更に強めることができる。
【００６０】
図１３，図１４は、第三実施形態を示す。第三実施形態の特徴は、キャディバッグ用ハンドル５１の一部をキャディバッグＢ内に収容可能にした状態を示す構成図である。図１３は、キャディバッグ用ハンドル５１の使用状態を示し、図１４は、キャディバッグ用ハンドル５１の一部をキャディバッグＢ内に収容した状態を示す。
【００６１】
この第三実施形態においては、キャディバッグ用ハンドル５１の一端側は、取付部５２になって、該取付部５２は、キャディバッグＢの外側面８に固着された取付部材５３に回転軸５４によって回転自在に取付けられている。又、該キャディバッグ用ハンドル５１の他端側は出没部５５になって、案内筒５６内に出没可能になっている。該案内筒５６はキャディバッグＢ内に収容されて設けられ，且つ、該キャディバッグＢの外側面に開口している。
【００６２】
前記案内筒５６の開口縁には、該案内筒５６の軸方向に沿って互いに間隔を隔てて第一，第二係合片５７，５８が設けられている。該第一，第二係合片５７，５８は、案内筒５６の周縁から案内筒５６の中心に向けて突出し、且つ、中心には挿通孔５９が形成されることにより、該第一，第二係合片５７，５８はリング状に形成されている。これら第一，第二係合片５７，５８の間は、係合溝６０になっている。前記第一係合片５７の部位における前記挿通孔５９の径は、前記第二係合片５８の部位における前記挿通孔５９の径よりも小径になっている。又、案内筒５６の縁部には、第三係合片６１が回転可能に設けられている。該第三係合片６１は、その基端側がビス等によって前記案内筒５６の縁部に回転可能に取り付けられると共に、該第三係合片６１の先端側は、バネ部材（図示せず）のバネ力によって、前記案内筒５６の開口側ヘ向けて付勢されている。
【００６３】
前記キャディバッグ用ハンドル５１の出没部５５の太さは、前記第一，第二係合片５７，５８の挿通孔５９を挿通できる太さである。又、キャディバッグ用ハンドル５１の出没部５５の先端部には、外方へ向けて拡径する係合受部６２が設けられている。該係合受部６２の厚さは、前記係合溝６０の溝幅と略同様であって、該係合受部６２が係合溝６０に係合可能になっている。又、前記出没部５５の基端側には、ストッパ部６３が設けられている。該ストッパ部６３は前記通孔５９を挿通できない太さである。該ストッパ部６３の近傍には、係合孔６４が形成されている。
【００６４】
図１３に示すように、キャディバッグ用ハンドル５１が外方へ突出して、該キャディバッグ用ハンドル５１の係合受部６２が、案内筒５６の係合溝５９に係合した状態が、キャディバッグ用ハンドル５１の使用状態である。この使用状態においては、第三係合片６１は出没部５５の側面に触れている。当該使用状態においては、ゴルフプレーヤやキャディは、キャディバッグ用ハンドル５１を把持することができる。
【００６５】
次ぎに、キャディバッグ用ハンドル５１をキャディバッグＢ内に収容する場合には、キャディバッグ用ハンドル５１の出没部５５を下方へ強く押圧すると、該出没部５５の先端の係合受部６２が、案内筒５６の第二係合片５８を下方へ押し曲げるようにして係合溝５９から脱出することにより、図１４に示すように、出没部５５が、案内筒５６内に収容される。この際、第三係合片６１は、キャディバッグ用ハンドル５１に設けられた係合孔６４に係合している。この状態が収容状態である。この収容状態においては、同図１４に示すように、キャディバッグ用ハンドル５１の外方への突出量が、図１３に示す状態よりも少ない。このため、図１４に示す状態のキャディバッグは、狭いスペース内に収容することができる。
【００６６】
図１５乃至図２０は第四実施形態を示す。この第四実施形態の特徴は、図１５に示すキャディバッグ用ハンドル８１が矢示方向へ横倒しにされて、図１８に示すように折畳み可能に構成された点にある。図１５は、キャディバッグ用ハンドル８１の使用状態であって、キャディバッグ用ハンドル８１を真上から観た状態の図である。図１８はキャディバッグ用ハンドル８１を横倒しにして折畳んだ状態であって、折畳んだ状態のキャディバッグ用ハンドル８１を真上から観た状態の図である。図１６は、図１５のＡ―Ａ線矢示方向断面図である。図１７は、図１５のＢ―Ｂ線矢示方向断面図である。図１９は、図１８のＣ―Ｃ線矢示方向断面図である。図２０は、図１８のＤ―Ｄ線矢示方向断面図である。
【００６７】
図１５，図１６，図１９に示すように、キャディバッグ用ハンドル８１は軸８２によってキャディバッグに横倒し可能に取り付けられている。
【００６８】
該キャディバッグ用ハンドル８１の一端側には第一係合部８３が設けられると共に、キャディバッグには該第一係合部８３が係合する第一係合受部８４が設けられている。又、該キャディバッグ用ハンドル８１の他端側には第二係合部８５が設けられると共に、キャディバッグには該第二係合部８５が係合する第二係合受部８６が設けられている。
【００６９】
前記第一係合部８３は、図１６，図１９に示すように、キャディバッグ用ハンドル８１の側面から突出した突起によって構成される。又、前記第一係合受部８４は、キャディバッグの表面に設けられているトグルクランプのような二つの安定な保持位置を有する保持装置によって構成される。該トグルクランプは、クランプ片８７と、巻きバネ（図示せず）とを備えている。クランプ片８７は、一端がレバー部になり、他端には凹部８８が形成されている。そして、該トグルクランプ片８７は、巻きバネによってトグル的に作動して、図１６に示す状態と、図１９に示す状態との二つの位置に保持されるようになっている。図１９に示す状態においては、凹部８８は上を向くように開口し、図１６に示す状態においては、凹部８８は下を向くように開口して、第一係合部８３が係合している。
【００７０】
図２０に示すように、前記第二係合部８５はキャディバッグ用ハンドル８１が横倒しにされて折畳まれた場合に下位になる側面に形成された突起によって構成される。又、前記第二係合受部８６は、該キャディバッグ用ハンドル８１が折畳まれた場合に該第一係合部８５が係合するようにキャディバッグに設けられた係合孔によって構成される。
【００７１】
このように構成された第四実施形態において、キャディバッグ用ハンドル８１の使用時においては、図１５に示すように、該キャディバッグ用ハンドル８１は起立し、図１６に示すように、第一係合部８３は第一係合受部８４に係合している。第一係合部８３が第一係合受部８４に係合することにより、キャディバッグ用ハンドル８１は起立したままの姿勢に保持される。
次ぎに、キャディバッグ用ハンドル８１を横倒しにして折畳む場合には、図１６において、第一係合受部８７のレバー部を下方へ押し下げると、図１９に示すように、該第一係合受部８４の凹部８８が上を向いた姿勢になる。この状態において、キャディバッグ用ハンドル８１を横方向へ押し倒すと、第一係合部８３と第一係合受部８４との係合が解除されて、図１８に示すように、キャディバッグ用ハンドル８１は横倒しになる。この横倒しの状態においては、図２０に示すように、キャディバッグ用ハンドル８１の第二係合部８５がキャディバッグの第二係合受部８６に係合することにより、キャディバッグ用ハンドル８１が横倒しになった状態が保持される。このように、キャディバッグ用ハンドル８１が横倒しになることにより、キャディバッグは狭いスペース内に収容されることができる。
【図面の簡単な説明】
【００７２】
【図１】キャディバッグ用ハンドルを手で把持した状態の側面図である。（第一実施形態）
【図２】キャディバッグ用ハンドルの縦断面図である。（第一実施形態）
【図３】図２のP―P線断面図である。（第一実施形態）
【図４】図２のQ―Q線断面図である。（第一実施形態）
【図５】グリップ部が変形する状態を示すキャディバッグ用ハンドルの側面図である。（第一実施形態）
【図６】作用を説明するキャディバッグ用ハンドルの側面図である。
【図７】作用を説明するキャディバッグ用ハンドルの側面図である。
【図８】作用を説明するキャディバッグ用ハンドルの側面図である。
【図９】作用を説明するキャディバッグ用ハンドルの側面図である。
【図１０】従来技術のグリップ部を手で把持した状態の図である。
【図１１】作用を説明するキャディバッグ用ハンドルの側面図である。
【図１２】グリップ部の縦断面図である。（第二実施形態）
【図１３】キャディバッグ用ハンドルの使用状態を示すキャディバッグ用ハンドルの側面図である。（第三実施形態）
【図１４】キャディバッグ用ハンドルの収容状態を示すキャディバッグ用ハンドルの側面図である。（第三実施形態）
【図１５】使用状態のキャディバッグ用ハンドルを真上から観た状態の図である。（第四実施形態）
【図１６】図１４のＡ―Ａ線断面図である。（第四実施形態）
【図１７】図１４のＢ―Ｂ線断面図である。（第四実施形態）
【図１８】キャディバッグ用ハンドルを横倒しにしてキャディバッグ用ハンドルを真上から観た状態の図である。（第四実施形態）
【図１９】図１７のＣ―Ｃ線断面図である。（第四実施形態）
【図２０】図１７のＤ―Ｄ線断面図である。（第四実施形態）
【図２１】キャディバッグ用ハンドルの斜視図である。（従来技術）
【図２２】作用を説明する図である。（従来技術）
【図２３】作用を説明する図である。（従来技術）
【符号の説明】
【００７３】
１  キャディバッグ用ハンドル
４  取付部
５  取付部
６  グリップ部
９  外側面
１０  内側面
１５  凸部
１５ａ  当接面
１５ｂ  裾部
１６  凹凸
１８  窓部
１９  芯材
２０  被覆材
【図１】
2006230561.tif 000003
【図２】
2006230561.tif 000004
【図３】
2006230561.tif 000005
【図４】
2006230561.tif 000006
【図５】
2006230561.tif 000007
【図６】
2006230561.tif 000008
【図７】
2006230561.tif 000009
【図８】
2006230561.tif 000010
【図９】
2006230561.tif 000011
【図１０】
2006230561.tif 000012
【図１１】
2006230561.tif 000013
【図１２】
2006230561.tif 000014
【図１３】
2006230561.tif 000015
【図１４】
2006230561.tif 000016
【図１５】
2006230561.tif 000017
【図１６】
2006230561.tif 000018
【図１７】
2006230561.tif 000019
【図１８】
2006230561.tif 000020
【図１９】
2006230561.tif 000021
【図２０】
2006230561.tif 000022
【図２１】
2006230561.tif 000023
【図２２】
2006230561.tif 000024
【図２３】
2006230561.tif 000025